(57)【要約】【課題】基板ケースを閉止した状態で封印シールにより封印する構成において、封印シールを破損しなければケースを開放できないようにする。【解決手段】ケース封印構造は、ケース本体部材６０およびケース蓋部材７０を備えた主基板ケース５５と、ケース本体部材６０に一体に繋がった本体側封印部１６０と、ケース蓋部材７０に一体に繋がった蓋側封印部１７０と、本体側および蓋側封印部１６０，１７０の内部に取り付けられる封印部材１８０とから構成される。封印部材１８０は、本体側封印部１６０の本体側保持空間１６１に取り外し不能に取り付けられる下側の封印部材要素１８１と、蓋側封印部１７０の蓋側保持空間１７１に取り外し不能に取り付けられる上側の封印部材要素１８１と、両封印部材要素１８１の台座部１８２に巻き付けられてこれらを繋ぐＩＣタグ封印シール１８５とから構成される。このため、ケース本体部材６０からケース蓋部材７０を開放するときにＩＣタグ封印シール１８５を破断しないとこれを開放できないようになっている。【選択図】図１
2011239844.tif 000002
【特許請求の範囲】
【請求項１】
ケース本体部材および前記ケース本体部材に開閉可能に装着されるケース蓋部材を備えたケースと、前記ケース本体部材の内部に形成された本体側保持空間内に装着可能な本体側封印部材と、前記ケース蓋部材の内部に形成された蓋側保持空間内に装着可能な蓋側封印部材と、封印シールとを有して構成され、
前記本体側封印部材を前記本体側保持空間内に装着したときに両者を取り外し不能に係合させる本体側係合手段と、前記蓋側封印部材を前記蓋側保持空間内に装着したときに両者を取り外し不能に係合させる蓋側係合手段を備え、
前記本体側保持空間内に前記本体側係合手段により前記本体側封印部材を取り外し不能に装着するとともに前記蓋側保持空間内に前記蓋側係合手段により前記蓋側封印部材を取り外し不能に装着して前記ケース本体部材に前記ケース蓋部材を閉止して装着したときに、前記本体側封印部材と前記蓋側封印部材とが近接対向するように構成され、このように近接対向した前記本体側封印部材と前記蓋側封印部材とに跨って前記封印シールが貼り付けられ、
前記ケース本体部材から前記ケース蓋部材を開放するときに前記本体側封印部材から前記蓋側封印部材が離されて前記封印シールが破断されるように構成されたことを特徴とするケース封印構造。
【請求項２】
前記本体側封印部材および前記蓋側封印部材をそれぞれ前記本体側保持空間および前記蓋側保持空間内に装着する前に、前記本体側封印部材および前記蓋側封印部材を近接対向させた状態で前記封印シールを両者に跨って貼り付けて前記本体側封印部材および前記蓋側封印部材が一体に繋がった封印部材を構成し、
前記封印部材を構成した状態において、前記本体側封印部材および前記蓋側封印部材のいずれか一方を前記本体側保持空間および前記蓋側保持空間のいずれか一方に取り外し不能に係合させ、前記ケース本体部材に前記ケース蓋部材を閉止することにより前記本体側封印部材および前記蓋側封印部材の他方を前記本体側保持空間および前記蓋側保持空間の他方に取り外し不能に係合させて、前記封印部材を前記ケースの内部に取り付けるように構成されたことを特徴とする請求項１に記載のケース封印構造。
【請求項３】
前記ケースの側面における前記本体側封印部材と前記蓋側封印部材に跨って貼り付けられた前記封印シールと対向する対向部分が破壊可能に構成され、前記対向部分を破壊することにより前記封印シールにおける前記本体側封印部材と前記蓋側封印部材に跨って貼り付けられた部分を外部に露出させることができるように構成されたことを特徴とする請求項１もしくは２に記載のケース封印構造。
【請求項４】
前記ケースの側面における前記本体側封印部材と前記蓋側封印部材に跨って貼り付けられた前記封印シールと対向する対向部分に、前記封印シールにおける前記本体側封印部材と前記蓋側封印部材に跨って貼り付けられた部分を外部に露出させる開口が形成されていることを特徴とする請求項１もしくは２に記載のケース封印構造。
【請求項５】
前記封印シールが情報を記憶および読み取り可能なＩＣタグおよび前記ＩＣタグに対する情報の記憶および読み取りを無線により行うためのアンテナ線を有して構成され、前記ケース本体部材から前記ケース蓋部材を開放するときに前記封印シールが破断されることにより少なくとも前記アンテナ線が破断されて前記ＩＣタグに対する無線による情報の記憶および読み取りができないようになっていることを特徴とする請求項１〜４のいずれかに記載のケース封印構造。
【発明の詳細な説明】
【技術分野】
【０００１】
本発明は、遊技機の制御基板を収容する基板ケース等のケースに対するケース封印構造、さらに詳しくはＩＣタグ封印シールを用いたケース封印構造に関する。
【背景技術】
【０００２】
パチンコ機やスロットマシン等の遊技機では、この遊技機の作動を制御する制御基板が設けられている。例えば、パチンコ機では、外枠に対して開閉可能に組み付けられた前枠裏側の収容枠に遊技盤等が装備され、この遊技盤に制御基板が取り付けられている。スロットマシンにおいても同様に、フロントマスクの裏面側やキャビネットの内側に制御基板が取り付けられている。これらの制御基板は、賞球もしくはメダルの払出制御、電動役物の開閉制御、リールの回転制御、図柄組み合わせの発生確率制御等、パチンコ機もしくはスロットマシンの作動を制御する基板であり、遊技機の制御ソフトウェアが記録されたＲＯＭが搭載され、この遊技機の作動を制御する中枢制御装置としての役割を有している（例えば、特許文献１を参照）。
【０００３】
このような中枢制御装置としての役割を有した制御基板は偽造ＲＯＭへの差し替え等の不正改造対策として、基板ケース内に収容され、この基板ケースを不正に開放できないようにする不正開放防止手段を設けることが知られている。この不正開放防止手段として、例えば、制御基板をケース本体部材およびケース蓋部材からなる基板ケースに収容し、ケース本体部材に対してケース蓋部材を閉止状態で装着したときに、ケース本体部材の側に形成した係合部とケース蓋部材の側に形成した係合部とを係合させ、ケース蓋部材（もしくはケース本体部材）とその係合部とを繋ぐ連結部をニッパ等の工具を用いて切り離さない限り、ケース本体部材とケース蓋部材とを離間不能とする、所謂カシメ構造が種々提案されて、実用に供されている。
【０００４】
また、遊技機の固有情報や、制御基板の識別情報等を記憶させた無線読み取り可能なＩＣタグを有したＩＣタグ封印シールを用いて基板ケースを内部において封印することも知られている（例えば、特許文献２を参照）。このようにＩＣタグ封印シールを用いると、制御基板を基板ケース内に入れてカシメ構造により閉止保持するだけでなく、ＩＣタグ封印シールにより封印してより確実な不正開放対策が可能となる。さらに、外部からＩＣタグに記憶された情報を読み取って制御基板の識別等を行えるという利点もある。
【先行技術文献】
【特許文献】
【０００５】
【特許文献１】特開２００９−１８３７８８号公報
【特許文献２】特開２００９−２６１６４０号公報
【発明の概要】
【発明が解決しようとする課題】
【０００６】
このように封印シール、特にＩＣタグ封印シールは、不正開放対策および種々の情報の記憶・読み取り機能という便利な機能を有するのであるが、これが不正に剥がされて不正に再使用されると基板ケースそのものを不正に交換するような不正改造を却って発見しにくくなるという問題がある。このため、基板ケースを開放するときに封印シールを破損するような構成、すなわち、封印シールを破損しなければ基板ケースを開放することができないような構造が望まれる。
【０００７】
本発明は、このような事情に鑑みてなされたものであり、基板ケース等のケースを閉止した状態で封印シールにより封印する構成において、封印シールを破損しなければケースを開放できないようにしたケース封印構造を提供することを目的とする。
【課題を解決するための手段】
【０００８】
このような目的達成のために、本発明に係るケース封印構造は、ケース本体部材および前記ケース本体部材に開閉可能に装着されるケース蓋部材を備えたケースと、前記ケース本体部材の内部に形成された本体側保持空間内に装着可能な本体側封印部材と、前記ケース蓋部材の内部に形成された蓋側保持空間内に装着可能な蓋側封印部材と、封印シールとを有し、前記本体側封印部材を前記本体側保持空間内に装着したときに両者を取り外し不能に係合させる本体側係合手段と、前記蓋側封印部材を前記蓋側保持空間内に装着したときに両者を取り外し不能に係合させる蓋側係合手段を備える。さらに、前記本体側保持空間内に前記本体側係合手段により前記本体側封印部材を取り外し不能に装着するとともに前記蓋側保持空間内に前記蓋側係合手段により前記蓋側封印部材を取り外し不能に装着して前記ケース本体部材に前記ケース蓋部材を閉止して装着したときに、前記本体側封印部材と前記蓋側封印部材とが近接対向するように構成され、このように近接対向した前記本体側封印部材と前記蓋側封印部材とに跨って前記封印シールが貼り付けられており、前記ケース本体部材から前記ケース蓋部材を開放するときに前記本体側封印部材から前記蓋側封印部材が離されて前記封印シールが破断されるように構成される。
【０００９】
このようなケース封印構造において、前記本体側封印部材および前記蓋側封印部材をそれぞれ前記本体側保持空間および前記蓋側保持空間内に装着する前に、前記本体側封印部材および前記蓋側封印部材を近接対向させた状態で前記封印シールを両者に跨って貼り付けて前記本体側封印部材および前記蓋側封印部材が一体に繋がった封印部材を構成し、前記封印部材を構成した状態において、前記本体側封印部材および前記蓋側封印部材のいずれか一方を前記本体側保持空間および前記蓋側保持空間のいずれか一方に取り外し不能に係合させ、前記ケース本体部材に前記ケース蓋部材を閉止することにより前記本体側封印部材および前記蓋側封印部材の他方を前記本体側保持空間および前記蓋側保持空間の他方に取り外し不能に係合させて前記封印部材を前記ケース内に取り付けるように構成されるのが好ましい。
【００１０】
なお、前記ケースの側面における前記本体側封印部材と前記蓋側封印部材に跨って貼り付けられた前記封印シールと対向する対向部分が破壊可能に構成され、前記対向部分を破壊することにより前記封印シールにおける前記本体側封印部材と前記蓋側封印部材に跨って貼り付けられた部分を外部に露出させることができるように構成されても良い。
【００１１】
また、前記ケースの側面における前記本体側封印部材と前記蓋側封印部材に跨って貼り付けられた前記封印シールと対向する対向部分に、前記封印シールにおける前記本体側封印部材と前記蓋側封印部材に跨って貼り付けられた部分を外部に露出させる開口が形成されても良い。
【００１２】
また、上記ケース封印構造において、前記封印シールが情報を記憶および読み取り可能なＩＣタグおよび前記ＩＣタグに対する情報の記憶および読み取りを無線により行うためのアンテナ線を有して構成され、前記ケース本体部材から前記ケース蓋部材を開放するときに前記封印シールが破断されることにより少なくとも前記アンテナ線が破断されて前記ＩＣタグに対する無線による情報の記憶および読み取りができないようになっていることが好ましい。
【発明の効果】
【００１３】
本発明に係るケース封印構造によれば、ケース本体部材にケース蓋部材を閉止させた状態で互いに近接対向する本体側封印部材と蓋側封印部材とに跨って封印シールが貼り付けられており、且つ、本体側封印部材および蓋側封印部材はそれぞれ本体側保持空間および蓋側保持空間内に取り外し不能に係合されているので、ケース本体部材からケース蓋部材を開放するときに本体側封印部材から蓋側封印部材が離されて封印シールが破断される。これにより、封印シールを破損することなく基板ケースを開放することができない構造となるので、封印シールが不正に再使用されることを防止できる。
【００１４】
なお、この場合において、本体側および蓋側封印部材を装着する前に、これらを近接対向させた状態で封印シールを両者に跨って貼り付けて一体に繋がった封印部材を構成し、このようにして封印部材を構成した状態において、例えば本体側封印部材を本体側保持空間に取り外し不能に係合させ、次いでケース本体部材にケース蓋部材を閉止することにより蓋側封印部材を蓋側保持空間に取り外し不能に係合させて封印部材をケースの内部に取り付けるようにするのが好ましく、これにより、封印部材をケース内部に簡単且つ確実に装着することができる。
【００１５】
上記の構成において、ケースの側面における封印シールとの対向部分を破壊して、封印シールにおける本体側封印部材と蓋側封印部材に跨って貼り付けられた部分を外部に露出させることができるように構成することが好ましい。これにより、ケースを開放するときに、対向部分を破壊して封印シールの露出部分を切断すれば封印シールによる本体側封印部材と蓋側封印部材との繋がりを断つことができ、ケース本体部材からケース蓋部材を簡単に開放することができる。
【００１６】
上記の構成において、ケースの側面における封印シールと対向する対向部分に、封印シールにおける本体側封印部材と蓋側封印部材に跨って貼り付けられた部分を外部に露出させる開口を形成しても良い。この場合には、ケースを開放するときに、この開口を介して封印シールの露出部分を切断すれば封印シールによる本体側封印部材と蓋側封印部材との繋がりを断つことができ、ケース本体部材からケース蓋部材を簡単に開放することができる。
【００１７】
また、封印シールを無線ＩＣタグを有して構成し、ケース本体部材からケース蓋部材を開放して封印シールが破断されるときに、無線ＩＣタグのアンテナ線が破断されてＩＣタグに対する無線による情報の記憶および読み取りができないように構成するのが好ましく、これにより、封印シールの再使用を確実に防止できる。
【図面の簡単な説明】
【００１８】
【図１】本発明に係るケース封印機構を備えたパチンコ機の正面図である。
【図２】本発明に係るケース封印機構を備えたパチンコ機の背面図である。
【図３】上記パチンコ機に用いられる主基板アッセンブリであって、本発明に係るケース封印機構を適用した主基板アッセンブリを示す斜視図である。
【図４】上記主基板アッセンブリを開放状態で示す斜視図である。
【図５】上記主基板アッセンブリを分解して示す斜視図である。
【図６】上記主基板アッセンブリを構成するケース封印部を取り出して示す斜視図である。
【図７】上記ケース封印部をケース開放状態で示す斜視図である。
【図８】上記ケース封印部における本体側封印部と、取付前の状態の封印部材を示す斜視図である。
【図９】上記封印部材を分解して示す斜視図である。
【図１０】上記封印部材を構成する封印部材要素を示す斜視図である。
【図１１】上記封印部材を構成するＩＣタグ封印シールを示す正面図である。
【図１２】上記ケース封印部を、開放状態で且つ図６の矢印ＸIII−ＸIIIに沿う位置において、本体側および蓋側封印部のみを切断して示す断面図である。
【図１３】上記ケース封印部を図６の矢印ＸIII−ＸIIIに沿って切断して示す断面図である。
【図１４】上記ケース封印部を開放状態において本体側および蓋側封印部を切断して示す断面斜視図である。
【図１５】上記ケース封印部の一部を閉止状態において本体側および蓋側封印部を切断して示す断面斜視図である。
【図１６】上記ケース封印部をＩＣタグ封印シールを切断して開放した状態を示す斜視図である。
【図１７】本発明に係るケース封印部の変形例を示す斜視図である。
【図１８】封印部材の異なる例を示す斜視図である。
【発明を実施するための形態】
【００１９】
以下、本発明の好ましい実施形態について説明する。まず、本発明に係るケース封印構造を用いる代表例として、パチンコ機ＰＭを図１および図２を参照して説明する。なお、このパチンコ機の作動を制御する制御基板が本発明に係るケース封印構造を有したケース内に配置される。
【００２０】
パチンコ機ＰＭは、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３ａ，３ｂにより横開き開閉および着脱が可能に取り付けられ、正面右側縁部に設けられたダブル錠と称される施錠装置４を利用して常には外枠１と係合連結された閉鎖状態に保持される。
【００２１】
前枠２の前面側上部には、前枠２の上部前面域に合わせた方形状のガラス扉５および球皿ユニット６が正面左側部に設けられたヒンジ機構７ａ，７ｂ，７ｃを利用して横開き開閉および着脱可能に組み付けられ、施錠装置４を利用して常には前枠２の前面を覆う閉鎖状態に保持される。球皿ユニット６の正面右側下部には遊技球の発射操作を行う操作ハンドル８が設けられている。ガラス扉５の背後に位置する前枠上部には、遊技盤１０を着脱可能に収容する収容枠（図示しない）が設けられており、この収容枠に遊技盤１０が着脱可能にセット保持され、常には閉鎖保持されるガラス扉５を通して遊技盤１０の正面の遊技領域ＰＡを臨ませるようになっている。
【００２２】
前枠２の裏面側には、中央に前後連通する窓口を有して前枠２よりもやや小型の方形枠状に形成された裏セット盤３０が、前枠２の裏面に設けられた複数のレバーＬ，Ｌ…を利用して着脱可能にセット保持される。裏セット盤３０の各部には遊技球を貯留する球貯留タンク３１、タンクレール３２、整列待機通路３３、賞球カセット３４、賞球排出通路３５などの賞球装置が装備されるとともに、裏面各部に電源基板アッセンブリ４０や主基板アッセンブリ５０等の各種制御基板アッセンブリが取り付けられている。
【００２３】
球皿６に前面側が覆われた前枠２の下部領域には遊技補助盤（図示せず）と称される補助機構部が形成されており、この遊技補助盤の各部に、打球発射装置（図示せず）や、裏セット盤３０側の賞球排出通路３５と繋がり球皿６に排出できない遊技球を一時貯留する貯留カセット（図示せず）などが設けられている。
【００２４】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００２５】
以上のように概要構成されるパチンコ機ＰＭにあって、主基板アッセンブリ５０に本発明に係るケース封印構造が適用されており、以下においては、この主基板アッセンブリ５０について説明する。まず、図３〜図５を参照して、主基板アッセンブリ５０の全体構成について説明する。
【００２６】
主基板アッセンブリ５０は、パチンコ機ＰＭの作動を統括的に制御する主制御基板５１と、主制御基板５１を内部に収容する主基板ケース５５とを主体に構成される。さらに、主基板ケース５５は、パチンコ機ＰＭの裏セット盤３０に固定されるケース本体部材６０と、ケース本体部材６０に開閉自在に取り付けられるケース蓋部材７０と、主制御基板５１の裏面側を覆う内部カバー８０とを備え、主制御基板５１および内部カバー８０がケース蓋部材７０の内面側に取り付けられた状態で、ケース蓋部材７０をケース本体部材６０へ開閉自在に装着されるように構成されている。
【００２７】
主制御基板５１は、図５に示すように、主制御基板５１の中央部に配設されたＣＰＵ５２や、主制御基板５１の左側に配設された左側接続コネクタ５３，５３，…、主制御基板５１の右側に配設された右側接続コネクタ５４，５４，…等の電子部品を有して構成される。主制御基板５１の四隅には、基板取付孔５１ａ，５１ａ，…が形成されている。また、主制御基板５１の縁部近傍三箇所には、ピン孔５１ｂ，５１ｂ，５１ｂが形成されており、内部カバー８０の位置決めピン８１，８１，８１と嵌合するようになっている。
【００２８】
ケース本体部材６０は、前面側に開口を有する矩形箱状の形態をなし、ＡＢＳ樹脂やポリカーボネート（ＰＣ）等の透明な樹脂材料を用いて射出成形等の成形手段により一体的に成形される。ケース本体部材６０の底部には、補強リブ６１が縦横に形成されており、ケース本体部材６０の強度を向上させるとともに、ケース内部に収容された内部カバー８０が当接して受け止められるようになっている。
【００２９】
ケース本体部材６０の左端部にはヒンジ軸６２，６２が形成されており、ケース蓋部材７０のヒンジアーム７４とそれぞれヒンジ係合するようになっている。ケース本体部材６０の上下側壁外面には、前方に突出する左右の係止アーム６３，６３が形成されており、ケース蓋部材７０の側面に形成された左右の係止突起７５にそれぞれ係止するようになっている。このため、ケース本体部材６０に対してケース蓋部材７０がヒンジ軸６２にヒンジアーム７４がヒンジ係合してヒンジ軸６２を中心として図３に示す開放した状態と図４に示す閉止した状態に開閉揺動可能であり、図４のように閉止した状態で係止アーム６３が係止突起７５に係止して仮止め保持されるようになっている。
【００３０】
ケース本体部材６０の縁部内側には、内側ガードリブ６４が突出して形成されており、ケース蓋部材７０がケース本体部材６０に装着されるときに、ケース蓋部材７０の外側ガードリブ（図に現れず）の内側に位置するようになっている。ケース本体部材６０の縁部外側には、縁部当接部６５が内側ガードリブ６４に繋がって形成されており、ケース蓋部材７０がケース本体部材６０に装着されるときに、外側ガードリブが縁部当接部６５と当接するようになっている。
【００３１】
ケース蓋部材７０は、ケース本体部材６０の開口を覆う矩形箱状の形態をなし、ＡＢＳ樹脂やポリカーボネート（ＰＣ）等の透明な樹脂材料を用いて射出成形等の成形手段により一体的に成形される。ケース蓋部材７０の裏面側（内面側）四隅には、ボス形状の基板取付部がネジ孔（いずれも図に現れず）を有して形成されており、主制御基板５１および内部カバー８０がそれぞれの取付孔５１ａ，８２を介して基板取付ネジ８９によりネジ固定されてケース蓋部材７０の内面側に取り付けられるようになっている。
【００３２】
ケース蓋部材７０の左側には、左コネクタ開口部７２が形成されており、図３に示すように、ケース蓋部材７０がケース本体部材６０に装着された状態で、主制御基板５１の左側接続コネクタ５３，５３，…が左コネクタ開口部７２を介して外部に露出するように構成されている。ケース蓋部材７０の右側には、右コネクタ開口部７３，７３，…が形成されており、ケース蓋部材７０がケース本体部材６０に装着された状態で、主制御基板５１の右側接続コネクタ５４，５４，…が右コネクタ開口部７３を介して外部に露出するように構成されている。
【００３３】
内部カバー８０は、主制御基板５１の形状に合わせた矩形板状の形態をなし、ＡＢＳ樹脂やポリカーボネート（ＰＣ）等の透明な樹脂材料を用いて一体的に形成される。内部カバー８０の縁部近傍三箇所には、位置決めピン８１，８１，８１が形成されており、主制御基板５１のピン孔５１ｂ，５１ｂ，５１ｂとそれぞれ嵌合して、内部カバー８０が主制御基板５１の裏面側にちょうど重なるようになっている。
【００３４】
内部カバー８０の四隅には取付孔８２，８２，…が形成されており、基板取付ネジ８９によりケース蓋部材７０の内面の基板取付部にネジ固定されるようになっている。そして、主制御基板５１を所定方向に向けた状態で、基板取付部７１のボス部７１ｂに主制御基板５１の基板取付孔５１ａを嵌合させ、さらに、内部カバー８０の位置決めピン８１を主制御基板５１のピン孔５１ｂに嵌合させるとともにケース蓋部材７０の蓋側ピン孔（図示せず）に嵌入して、内部カバー８０を主制御基板５１の裏面側に重ねて載置した状態で、基板取付ネジ８９により主制御基板５１および内部カバー８０がケース蓋部材７０の内面側に取り付けられる。
【００３５】
このようにして、ケース蓋部材７０がケース本体部材６０の開口を覆う閉止状態でケース本体部材６０に装着されているときには、係止アーム６３が係止突起７５に係止しているだけであり、ケース蓋部材７０をケース本体部材６０に対して容易に開放させることができる。そこで、閉止状態で装着されたケース蓋部材７０を開放できなくして不正操作を防止するために、基板アッセンブリ５０には不正開放防止機構９０が設けられている。
【００３６】
この不正防止機構９０は従来から知られている構成であり、種々の構成が用いられているが、本実施形態では、図３〜図５に示すように、ケース本体部材６０に一体に繋がった本体側係合部９１と、ケース蓋部材７０に連結部９４を介して繋がった蓋側係合部９３と、両係合部９１，９３を結合させるための結合部材９５とから構成される。結合部材９５は本体側係合部９１の係合凹部９１ａ内に挿入され、側面に形成された係合突起９５ａが係合凹部９１ａ内の係合部と係合して図４に示すように取り外し不能に係合される。この状態でケース蓋部材７０を図３に示すように閉止すると、結合部材９５の上方に突出する部分が蓋側係合部９３の係合凹部９３ａ（図には現れないが、蓋側係合部９３の内面側に形成されている）内に入り込み、側面に形成された係合突起９５ｂが係合凹部９３ａ内の係合部と係合して取り外し不能に係合し、ケース本体部材６０にケース蓋部材７０が図３に示すように閉止した状態で保持する。なお、この状態からケース蓋部材７０を開放するには、蓋側係合部９３の連結部９４を切断する。
【００３７】
このように構成される不正開放防止機構９０の隣に位置して、本発明を適用したケース封印部１００が設けられており、この構成について、図６〜図１６を参照して以下に詳しく説明する。ケース封印部１００は、ケース本体部材６０に一体に繋がった本体側封印部１６０と、ケース蓋部材７０に一体に繋がった蓋側封印部１７０とを備える。両封印部１６０，１７０は、ケース本体部材６０にケース蓋部材７０が図３および図６に示すように閉止された状態で互いに当接対向し、その内部に封印部材１８０が係合して取り付けられるようになっている。本体側封印部１６０および蓋側封印部１７０はそれぞれケース本体部材６０およびケース蓋部材７０に一体に繋がって構成されるが、図６〜図１６においては、本体側封印部１６０および蓋側封印部１７０を切り離した状態でこれらのみを取り出して示す。
【００３８】
本体側封印部１６０は、図８、図１２等に示すように、上方に開口した矩形凹形状の空間からなる本体側保持空間１６１を有したボディがケース本体部材６０に一体に繋がって構成されており、本体側保持空間１６１内に互いに対向して上方に突出する一対の本体側保持アーム１６２，１６２が形成されている。これら本体側保持アーム１６２，１６２の互いに対向する側面に本体側係止部１６２ａ，１６２ａが形成されている。図６、図７等から良く分かるように、本体側封印部１６０のボディの外側側面が薄い板状となって上方に延びており、本体側破壊可能壁１６５を形成している。この本体側破壊可能壁１６５は上下に延びるスリット１６５ａ，１６５ａにより三分割されており、これを破壊するのが容易なようになっている。
【００３９】
蓋側封印部１７０は、図１２〜図１５に示すように、下方に開口した矩形凹形状の空間からなる蓋側保持空間１７１を有したボディがケース蓋部材７０に一体に繋がって構成されており、蓋側保持空間１７１内に互いに対向して下方に突出する一対の蓋側保持アーム１７２，１７２が形成されている。これら蓋側保持アーム１７２，１７２の互いに対向する側面に蓋側係止部１７２ａ，１７２ａが形成されている。図７から良く分かるように、蓋側封印部１７０のボディの外側側面が薄い板状となって下方に延びており、蓋側破壊可能壁１７５を形成している。この蓋側破壊可能壁１７５は上下に延びるスリット１７５ａにより二分割されており、これを破壊するのが容易なようになっている。なお、本体側および蓋側破壊可能壁１６５，１７５の破壊の目的、用途については後述する。
【００４０】
封印部材１８０は、図９および図１０に示すように、一対の封印部材要素１８１，１８１と、これら封印部材要素１８１，１８１を図９に示すように背中合わせに当接させた状態でその台座部１８２，１８２に巻き付けるように貼り付けられるＩＣタグ封印シール１８５とから構成される。封印部材要素１８１は、中央に平板状の台座部１８２を有し、その両端に係合アーム１８３，１８３が台座部１８２の延びる方向に直角な方向に延びて設けられている。各係合アーム１８３の先端には外側に向かって突出する係合突起１８３ａが形成されており、この係合突起１８３ａは後述するように、本体側係止部１６２ａおよび蓋側係止部１７２ａに係合可能となっている。このような構成の一対の封印部材要素１８１，１８１が図９に示すように背中合わせに当接された状態で台座部１８２，１８２に巻き付けるようにしてＩＣタグ封印シール１８５が貼り付けられて一体となって封印部材１８０が構成される。
【００４１】
ＩＣタグ封印シール１８５は、図１１に示すように、矩形シート状のシール部材１８６に、ＩＣタグ１８７およびこれに繋がるアンテナ線１８８を設けて構成される。ＩＣタグ１８７には、パチンコ機ＰＭに関する情報、制御基板５１の識別情報等、種々の情報を記憶した非常に小さな電子素子であり、これに繋がって設けられたアンテナ線１８８を介してケース５５の外部からこれら情報を読み取り可能となっている。なお、シール部材１８６は、破断もしくは切断可能な材料から構成される。
【００４２】
このような構成の封印部材１８０を本体側封印部材１６０および蓋側封印部材１７０の内部に取り付けてケース本体部材６０にケース蓋部材７０を閉止する方法および構成について説明する。まず、図９に示すようにして一対の封印部材要素１８１，１８１を背中合わせにして互いに当接する台座部１８２，１８２にＩＣタグ封印シール１８５を貼り付けて封印部材１８０を構成する。そして、一方の封印部材要素１８１を本体側保持空間１６１内に挿入させて、封印部材１８０を本体側封印部１６０に取り付ける。この取付は、図８から図７に示すように、封印部材１８０を上方から本体側保持空間１６１内に挿入し、図１２および図１４に示すように、本体側保持空間１６１内において一対の本体側保持アーム１６２，１６２の間に下側の封印部材要素１８１の一対の係合アーム１８３，１８３を嵌入させて行われる。このとき、係合アーム１８３，１８３（および本体側保持アーム１６２，１６２）が弾性変形しながら係合突起１８３ａ，１８３ａが本体側保持アーム１６２，１６２の間に入り込み、図１２および図１４に示すように、係合突起１８３ａ，１８３ａが本体側係止部１６２ａと係合し、下側の封印部材要素１８１は本体側封印部１６０の内部に取り外し不能に取り付けられる。
【００４３】
この状態では、上側の封印部材要素１８１はＩＣタグ封印シール１８５により下側の封印要素１８１と一体に結合されているので、ＩＣタグ封印シール１８５を切断してこの結合を解除しないかぎり、上側の封印部材要素１８１も取り外しできない、すなわち、封印部材１８０を取り外すことができない。なお、上記の構成から分かるように、下側の封印部材要素１８１が特許請求の範囲において規定する本体側封印部材に該当する。
【００４４】
以上のようにして、本体側封印部１６０に封印部材１８０を取り付けると、次に、図４に示すように、ヒンジ軸６２にヒンジアーム７４をヒンジ係合して、ケース本体部材６０の上にケース蓋部材７０を図３に示すように閉止させる。このとき、前述のように、不正開放防止機構９０によりケース本体部材６０とケース蓋部材７０とが係合して閉止状態に保持されるのであるが、同時に図１３および図１５に示すように、ケース封印部１００において、封印部材１８０を構成する上側の封印部材要素１８１が蓋側保持空間１７１内に入り込んで蓋側封印部１７０と取り外し不能に係合される。
【００４５】
この係合は下側の封印部材要素１８１が本体側封印部１６０に取り外し不能に係合される場合と同様であり、ケース本体部材６０の上にケース蓋部材７０を閉止させると、図１２から図１３および図１４から図１５に示すように、上方に突出した状態の上側の封印部材１８０が蓋保持空間１７１内に入り込み、蓋側保持空間１７１内において一対の蓋側保持アーム１７２，１７２の間に上側の封印部材要素１８１の一対の係合アーム１８３，１８３が嵌入する。このとき、係合アーム１８３，１８３（および蓋側保持アーム１７２，１７２）が弾性変形しながら係合突起１８３ａ，１８３ａが蓋側保持アーム１７２，１７２の間に入り込み、図１３および図１５に示すように、係合突起１８３ａ，１８３ａが蓋側係止部１７２ａと係合し、上側の封印部材要素１８１が蓋側封印部１７０の内部に取り外し不能に取り付けられる。なお、この構成から分かるように、上側の封印部材要素１８１が特許請求の範囲において規定する蓋側封印部材に該当する。
【００４６】
以上の説明から分かるように、ケース本体部材６０の上にケース蓋部材７０を図３に示すように閉止させると、不正開放防止機構９０によりケース本体部材６０とケース蓋部材７０とが係合して閉止状態に保持されるとともに、封印部材１８０が本体側封印部１６０および蓋側封印部１７０と係合した状態で内部に保持される。封印部材１８０を構成するＩＣタグ封印シール１８５は、上述のようにＩＣタグ１８７およびアンテナ線１８８を有しており、本体側封印部１６０および蓋側封印部１７０の内部に保持された状態のままで、アンテナ線１８８を介して無線によりＩＣタグ１８７に記憶された各種情報（例えば、パチンコ機ＰＤに関する情報、制御基板５１の識別情報等）を外部からケース蓋部材７０を開放することなく、読み取り可能である。
【００４７】
次に、以上のようにケース本体部材６０とケース蓋部材７０とが係合して閉止状態に保持された状態からケース蓋部材７０を開放させる場合について説明する。ケース蓋部材７０を開放するには、まず、不正開放防止機構９０におけるケース蓋部材７０と蓋側係合部９３とを繋ぐ連結部９４を切断する。これにより、不正開放防止機構９０によるケース本体部材６０とケース蓋部材７０との連結は断たれるが、ケース封印部１００において封印部材１８０により本体側封印部１６０と蓋側封印部１７０とが連結された状態にあるので、この部分の連結を解除しなければ、ケース蓋部材７０を開放することができない。
【００４８】
但し、この連結は、封印部材１８０において上下の封印部材要素１８１がＩＣタグ封印シール１８５により繋がれているだけであり、ＩＣタグ封印シール１８５は切断可能な材料から構成されているため、ケース蓋部材７０を開放する力を加えてＩＣタグ封印シール１８５のシール部材１８６を破断させるとケース蓋部材７０を開放できる。このようにすれば、ケース蓋部材７０を開放するときにＩＣタグ封印シール１８５を確実に破断して、その再使用を防止できる。特に、ＩＣタグ封印シール１８５のシール部材１８６を破断すれば、ＩＣタグ１８７そのものを破壊できなくてもアンテナ線１８８を破断することになるため、ＩＣタグ封印シール１８５を再使用できなくすることができる。
【００４９】
ところで、ＩＣタグ封印シール１８５を破断するに必要なケース蓋部材７０に付与する開放力は、ＩＣタグ封印シール１８５のシール部材１８８の強度に応じて大きなものとなる可能性が高く、ケース蓋部材７０を開放するのが難しいという場合が多い。このため、上述したように、本体側封印部１６０のボディの外側側面に本体側破壊可能壁１６５を形成するとともに、蓋側封印部１７０のボディの外側側面に蓋側破壊可能壁１７５を形成し、これら本体側および蓋側破壊可能壁１６５，１７５を破壊して封印部材１８０におけるＩＣタグ封印シール１８５を露出させることができるようにしている。このようにしてＩＣタグ封印シール１８５を外方に露出させれば、外部からカッターなどによりＩＣタグ封印シール１８５を切断し、上下の封印部材要素１８５，１８５を切り離すことができ、これにより、ケース蓋部材７０を簡単に開放できる。このようにすれば、本体側および蓋側破壊可能壁１６５，１７５を破壊した痕跡が残るため、ＩＣタグ封印シール１８５を不正に交換するようなことを予防できる。なお、この場合にも、ＩＣタグ封印シール１８５は切断されるため、その再使用を確実に防止できる。
【００５０】
このような観点から、本体側封印部１６０および蓋側封印部１７０のボディの外側側面に本体側および蓋側破壊可能壁１７５，１６５を形成する代わりに、図１７に示すようなケース封印部１００′のような構成としても良い。すなわち、ケース封印部１００′を、外側面１６０ａ′の上端にスリット状凹部１６０ｂ′を設けた本体側封印部１６０′と、外側面１７０ａ′の下端にスリット状凹部１７０ｂ′を設けた本体側封印部１７０′から構成し、上下端のスリット状凹部１６０ｂ′，１７０ｂ′を対向させてスリット状開口１０１′を形成しても良い。この場合に、スリット状開口１０１′は、本体側封印部１６０′および蓋側封印部１７０′に囲まれた内部空間に取り付けられた封印部材１８０のＩＣタグ封印シール１８５と対向してこれを外部に露出させており、スリット状開口１０１′からカッター等を挿入してＩＣタグ封印シール１８５を切断し、上下の封印部材要素１８５，１８５を切り離すことができる。
【００５１】
以上の実施形態においては、封印部材１８０は、図９および図１０に示すように、一対の封印部材要素１８１，１８１を背中合わせに当接させてその台座部１８２，１８２に巻き付けるようにＩＣタグ封印シール１８５を貼付して構成されたが、封印部材を図１８のように構成しても良い。この封印部材２８０は、一対の封印部材要素２８１，２８１を図示のように横に並べ、一方の封印部材要素の台座部２８２の表面２８２ａと他方の封印部材要素の台座部２８２の裏面２８２ｂとを揃えてその上にＩＣタグ封印シール１８５を貼付して構成される。なお、封印部材要素２８１は、台座部２８２の表裏両面がＩＣタグ封印シール１８５を貼付可能な平面状であり、その両端に上記封印部材要素１８１の場合と同様に係合アーム２８３，２８３が設けられ、係合アーム２８３の先端に係合突起１８３ａが形成されている。
【００５２】
この封印部材２８０も封印部材１８０と同様な用いられ方をされるものであり、一方の封印部材要素２８１が係合アーム２８３，２８３により蓋側封印部材の内部に取り付けられるとともに、他方の封印部材要素２８１が係合アーム２８３，２８３により本体側封印部材の内部に取り付けられるように蓋側封印部材および本体側封印部材が構成される。なお、この場合において、ケース本体部材６０からケース蓋部材７０を開放するときに、この開放力によりＩＣタグ封印シールを容易に切断できるように、封印部材要素２８１の側部（相手側となる封印部材要素２８１と当接する側部）にＩＣタグ封印シールに対向する切断刃を設け、上記開放作動により一方の封印部材要素２８１に対して他方の封印部材要素２８１が相対移動したときにこの切断刃によりＩＣタグ封印シールを切断するように構成するのが好ましい。また、ケース本体部材６０からケース蓋部材７０を開放するときに、ＩＣタグ封印シールを二つの封印部材要素２８１，２８１の当接部において切断できるように、蓋側封印部材におけるこの当接部に対向する部分に開口を設けても良い。
【００５３】
以上の説明から分かるように、ケース本体部材６０からケース蓋部材７０を開放するときには、本体側封印部１６０および蓋側封印部１７０に囲まれた内部空間に取り付けられた封印部材１８０のＩＣタグ封印シール１８５を切断して、上下の封印部材要素１８１を切り離す必要があり、ＩＣタグ封印シール１８５を破断しなければケース蓋部材７０を開放することができない封印構造が得られる。
【００５４】
以上においては、封印部材１８０を本体側封印部材１６０および蓋側封印部材１７０の内部に取り付けてケース本体部材６０にケース蓋部材７０を閉止する方法として、封印部材１８０を本体側封印部１６０に係合させて取り付けた後、ケース蓋部材７０を閉止することにより封印部材１８０を蓋側封印部材１７０に係合させる方法を説明したが、これと逆の順序で取り付けても良い。すなわち、まず、封印部材１８０を蓋側封印部材１７０に係合させて取り付けた後、ケース蓋部材７０を閉止することにより封印部材１８０を本体側封印部１６０に取り付ける方法でも良い。
【００５５】
また、封印部材１８０において一対の封印部材要素１８１の台座部１８２に巻き付けて取り付けられるＩＣタグ封印シール１８５に代えて、ＩＣタグ１８７およびアンテナ線１８８を備えないシート状の封印シールを用いても良い。また、以上の実施形態においては、不正開放防止機構９０の隣に位置してケース封印部１００を設けたが、封印シールの強度を確保してケース封印部１００による封印シールによりケースの不正開放を防止する機能を付与し、不正開放防止機構を不要とすることもできる。
【００５６】
また、以上においてケース本体部材６０に対してケース蓋部材７０がヒンジ係合されて揺動開閉される構成の主基板ケース５５にケース封印部１００を用いた例を示したが、この構成に限られるものではない。例えば、ケース本体部材に対してケース蓋部材を接合させた状態でスライド移動させて両者を閉止状態で係合保持する構成のものに本発明に係るケース封印部の構造を用いても良い。この場合には、ケース封印部において、封印部材を上記の構成での配置位置に対して９０度回転させて配置し、ケース蓋部材のスライド移動により封印部材を構成する一対の封印部材要素が離れて封印シールが破断されるように構成される。
【００５７】
また、以上においては、本発明のケース封印構造をパチンコ機の制御基板ケースに適用した例を説明したが、本発明のケース封印構造はこれに限られるものではなく、パチンコ機以外の遊技機、例えばスロットマシンの制御基板ケースに適用でき、さらにはその他の種々のケースにも適用できる。
【符号の説明】
【００５８】
ＰＭ  パチンコ機
５０  主基板アッセンブリ          ５１  主制御基板
５５  主基板ケース                ６０  ケース本体部材
６２  ヒンジ軸                    ７０  ケース蓋部材
８０  内部カバー                  ９０  不正開放防止機構
１００  ケース封印部              １６０  本体側封印部
１６１  本体側保持空間            １６２  本体側保持アーム
１６２ａ  本体側係止部            １６５  本体側破壊可能壁
１７０  蓋側封印部                １７１  蓋側保持空間
１７２  蓋側保持アーム            １７２ａ  蓋側係止部
１７５  蓋側破壊可能壁            １８０  封印部材
１８１  封印部材要素              １８２  台座部
１８３  係合アーム                １８３ａ  係合突起
１８５  ＩＣタグ封印シール        １８６  シール部材
１８７  ＩＣタグ                  １８８  アンテナ線
【図１】
2011239844.tif 000003
【図２】
2011239844.tif 000004
【図３】
2011239844.tif 000005
【図４】
2011239844.tif 000006
【図５】
2011239844.tif 000007
【図６】
2011239844.tif 000008
【図７】
2011239844.tif 000009
【図８】
2011239844.tif 000010
【図９】
2011239844.tif 000011
【図１０】
2011239844.tif 000012
【図１１】
2011239844.tif 000013
【図１２】
2011239844.tif 000014
【図１３】
2011239844.tif 000015
【図１４】
2011239844.tif 000016
【図１５】
2011239844.tif 000017
【図１６】
2011239844.tif 000018
【図１７】
2011239844.tif 000019
【図１８】
2011239844.tif 000020